(57)【要約】【課題】  引出部材の重量に伴うアシスト力の変動を抑制する。【解決手段】収納部５に対する引出９の引き出し及び引き込み動作の少なくとも一方をアシストするアシスト機構１１であって、前記収納部５及び引出９の一方側に前記引出９の動作方向に沿って設けられたガイドレール１３と、前記収納部５及び引出部材９の他方側に支持され前記引出９の動作に応じて前記ガイドレール１３に倣って進退移動するガイドローラ１５と、該ガイドローラ１５を前記ガイドレール１３側に進出付勢するコイルばね４５とを備え、前記ガイドレール１３は、少なくとも前記引出９の動作方向の一側に設けられ端部側に向けて後傾のアシスト面３５，３７を有することを特徴とする。【選択図】  図３
2011254997.tif 000002
【特許請求の範囲】
【請求項１】
収納部に対する引出部材の引き出し及び引き込み動作の少なくとも一方をアシストする引出部材のアシスト機構であって、
前記収納部及び引出部材の一方側に前記引出部材の動作方向に沿って設けられたガイド部と、
前記収納部及び引出部材の他方側に支持され前記引出部材の動作に応じて前記ガイド部に倣って進退移動する被ガイド部と、
該被ガイド部を前記ガイド部側に進出付勢する付勢部材とを備え、
前記ガイド部は、少なくとも前記引出部材の動作方向の一側に設けられ端部側に向けて傾斜したアシスト面を有する、
ことを特徴とする引出部材のアシスト機構。
【請求項２】
請求項１記載の引出部材のアシスト機構であって、
前記アシスト面は、前記引出部材の動作方向両側に設けられた、
ことを特徴とする引出部材のアシスト機構。
【請求項３】
請求項１又は２記載の引出部材のアシスト機構であって、
前記アシスト面は、傾きが一定の斜面からなる、
ことを特徴とする引出部材のアシスト機構。
【請求項４】
請求項１又は２記載の引出部材のアシスト機構であって、
前記アシスト面は、傾きが異なる複数の斜面からなる、
ことを特徴とする引出部材のアシスト機構。
【請求項５】
請求項１〜４の何れかに記載の引出部材のアシスト機構であって、
前記アシスト面は、中間部に前記引出部材の動作方向に沿ったステップ面を備えている、
ことを特徴とする引出部材のアシスト機構。
【請求項６】
請求項１〜５の何れかに記載の引出部材のアシスト機構であって、
前記アシスト面は、前記端部側に反アシスト力を発生する返し部を備えた、
ことを特徴とする引出部材のアシスト機構。
【請求項７】
請求項１〜５の何れかに記載の引出部材のアシスト機構であって、
前記アシスト面は、前記端部側に前記引出部材の動作方向に沿ったボトム面を備えている、
ことを特徴とする引出部材のアシスト機構。
【請求項８】
請求項１〜７の何れかに記載の引出部材のアシスト機構であって、
前記ガイド部は、前記引出部材の動作方向中間部に前記被ガイド部を嵌合させる凹部を備えた、
ことを特徴とする引出部材のアシスト機構。
【請求項９】
請求項１〜８の何れかに記載の引出部材のアシスト機構であって、
前記ガイド部は、ガイドレールであり、
前記被ガイド部は、前記ガイドレール上を転動するローラである、
ことを特徴とする引出部材のアシスト機構。
【請求項１０】
請求項１〜９の何れかに記載の引出部材のアシスト機構であって、
前記収納部及び引出部材の他方側に取り付けられた支持部と、
該支持部に前記引出部材の動作方向に対する交差方向に移動自在に支持された可動部とを備え、
前記被ガイド部は、前記可動部に取り付けられ、
前記付勢部材は、前記可動部を付勢する、
ことを特徴とする引出部材のアシスト機構。
【請求項１１】
請求項１〜１０の何れかに記載の引出部材のアシスト機構であって、
前記引出部材のアシスト動作を緩衝するダンパーを備えた、
ことを特徴とする引出部材のアシスト機構。
【発明の詳細な説明】
【技術分野】
【０００１】
本発明は、家具の引出等の引き込みや引き出し動作をアシストする引出部材のアシスト機構に関する。
【背景技術】
【０００２】
従来のアシスト機構としては、例えば特許文献１のように、冷蔵庫に適用されたものがある。この冷蔵庫は、庫内に対して引き出し及び引き込み自在に支持された引出部材としての収納容器を備え、この収納容器の引き込み動作をアシスト機構によってアシストするようになっている。
【０００３】
アシスト機構は、冷蔵庫内に設けられたレール後端に傾斜部を備えると共に、収納容器に冷蔵庫内のレール上を転動するローラを備えている。収納容器の引き込み操作時には、収納容器の自重及び収納物の重量（収納容器の重量）を利用してローラをレールの傾斜部に沿って転動させ、収納容器を自動的に引き込むことができる。
【０００４】
このようにアシスト機構は、収納容器の重量を利用した自動的な引き込みにより引き込み動作をアシストすることができる。
【０００５】
しかしながら、かかる従来の構造では、収納容器の重量が大きくなると、これに伴ってアシスト力も大きくなる。結果として、反アシスト方向への引き出し操作が困難となるおそれがあった。
【先行技術文献】
【特許文献】
【０００６】
【特許文献１】実公平５−４１３４９号公報
【発明の概要】
【発明が解決しようとする課題】
【０００７】
解決しようとする問題点は、引出部材の重量に伴ってアシスト力が変動する点にある。
【課題を解決するための手段】
【０００８】
本発明は、引出部材の重量に伴うアシスト力の変動を抑制するために、収納部に対する引出部材の引き出し及び引き込み動作の少なくとも一方をアシストする引出部材のアシスト機構であって、前記収納部及び引出部材の一方側に前記引出部材の動作方向に沿って設けられたガイド部と、前記収納部及び引出部材の他方側に支持され前記引出部材の動作に応じて前記ガイド部に倣って進退移動する被ガイド部と、該被ガイド部を前記ガイド部側に進出付勢する付勢部材とを備え、前記ガイド部は、少なくとも前記引出部材の動作方向の一側に設けられ端部側に向けて傾斜したアシスト面を有することを最も主な特徴とする。
【発明の効果】
【０００９】
本発明では、被ガイド部がガイド部に倣って進退移動することで、ガイド部のアシスト面上において付勢部材の付勢力の分力による引き込み及び引き出し方向の少なくとも一方側へのアシスト力を発生させることができる。
【００１０】
このため、本発明では、引出部材を収納部に対する自動的な引き込み及び引き出し動作の少なくとも一方を行わせることができ、引出部材の動作をアシストすることができる。
【００１１】
しかも、本発明では、付勢部材の付勢力によってアシスト力を発生させるため、引出部材の重量変動に伴うアシスト力の変動を抑制できる。
【図面の簡単な説明】
【００１２】
【図１】アシスト機構を有する収納家具の一部を切り欠いた正面図である（実施例１）。
【図２】図１の収納家具の一部を切り欠いた側面図である（実施例１）。
【図３】（ａ）は図１のアシスト機構の拡大側面図、（ｂ）は図２のアシスト機構の拡大正面図である（実施例１）。
【図４】図１のアシスト機構を背面側から示す拡大斜視図である（実施例１）。
【図５】図１のアシスト機構を正面側から示す拡大斜視図である（実施例１）。
【図６】図１のアシスト機構のダンパーを示す斜視図である（実施例１）。
【図７】（ａ）〜（ｅ）は、収納位置からの引き出し動作時に係るアシスト機構の動作を示す側面図である（実施例１）。
【図８】（ａ）〜（ｅ）は、収納位置からの引き出し動作時に係るアシスト機構の動作を示す側面図である（実施例２）。
【図９】アシスト機構のガイドレールを示す側面図である（実施例３）。
【図１０】アシスト機構のガイドレールを示す側面図である（実施例４）。
【図１１】アシスト機構のガイドレールを示す側面図である（実施例５）。
【図１２】アシスト機構のガイドレールを示す側面図である（実施例６）。
【図１３】アシスト機構のガイドレールを示す側面図である（実施例７）。
【図１４】アシスト機構を示す側面図である（実施例８）。
【図１５】アシスト機構の支持ユニットを示す正面図である（実施例９）。
【発明を実施するための形態】
【００１３】
引出部材の重量に伴うアシスト力の変動を抑制するという目的を、付勢部材の付勢力によってアシスト力を発生させることで実現した。
【実施例１】
【００１４】
［収納家具の概略構成］
図１は、本発明の実施例１に係るアシスト機構を有する収納家具の一部を切り欠いた正面図、図２は、同側面図である。
【００１５】
収納家具１は、図１及び図２のように、上段収納部３及び下段収納部５を備えている。上段収納部３は、観音開きの扉７によって開閉されるようになっている。下段収納部５は、引出部材としての引出９を複数収納して多段に構成されている。なお、本実施例では、下段収納部５が４段構成となっている。
【００１６】
各段の引出９は、下段収納部５に設けられたスライドレール１０を介して前後方向に直線移動自在に支持されている。かかる直線移動により、引出９が下段収納部５に対して引き出し及び引き込み動作する。この引出９と下段収納部５との間には、アシスト機構１１が設けられている。
［アシスト機構の構成］
図３（ａ）は図１のアシスト機構の拡大側面図、図３（ｂ）は図２のアシスト機構の拡大正面図、図４は図１のアシスト機構を背面側から示す拡大斜視図、図５は図１のアシスト機構を正面側から示す拡大斜視図、図６は図１のアシスト機構のダンパーを示す斜視図である
アシスト機構１１は、図１〜図６のように、ガイド部としてのガイドレール１３と、被ガイド部としてのガイドローラ１５と、ダンパー１７，１９とを備えている。
【００１７】
ガイドレール１３は、例えば、ステンレス等の金属板からなっている。ガイドレール１３は、図２〜図５のように、引出９の側面２１に取り付けられ、引出９の動作方向である前後方向に沿って設けられている。このガイドレール１３は、本体部２３及び傾斜部２５，２７からなっている。
【００１８】
本体部２３は、ガイドレール１３の前後方向の中間部に形成されている。本体部２３の上面は、前後方向に沿った非アシスト面２９となっている。本体部２３の下面側には、締結プレート３１が一体に設けられている。締結プレート３１は、ねじ３３によって引出９の側面２１に締結固定されている。本体部２３の前後方向両側には、傾斜部２５，２７が一体に設けられている。
【００１９】
傾斜部２５，２７は、本体部２３に対して折り曲げ形成されている。この傾斜部２５，２７は、それぞれ前端部及び後端部に向けて漸次下降するように傾斜設定されている。傾斜部２５，２７の上面には、それぞれアシスト面３５，３７が形成されている。このため、本実施例のアシスト面３５，３７は、ガイドレール１３の前後方向の両側に設けられた構成となっている。
【００２０】
アシスト面３５，３７は、傾斜部２５，２７の傾斜設定に応じ、傾きが一定の斜面からなっている。すなわち、アシスト面３５，３７は、それぞれ前端部及び後端部に向けて漸次下方に傾斜している。
【００２１】
前記ガイドローラ１５は、支持ユニット３９を介して下段収納部５の前端側に支持され、支持ユニット３９と共にユニット化されている。支持ユニット３９は、支持部４１と、可動部４３と、付勢部材としてのコイルばね４５とからなっている。
【００２２】
支持部４１は、例えばステンレス等の金属板からなる支持プレート４７を備えている。この支持プレート４７は、引出９の動作方向に対する交差方向である上下方向に沿って配置されている。
【００２３】
支持プレート４７の下端は、収納家具１側のスライドレール１０の外側面４９にボルト５１により締結固定されている。支持プレート４７の上端には、ボルト５５によって端プレート５３が締結固定されている。端プレート５３は、支持プレート４７からスライドレール１０上に向けて延設されている。
【００２４】
支持プレート４７の内側面には、支持レール５７が上下方向に沿って設けられている。この支持レール５７を介して、可動部４３が上下方向移動自在に支持されている。
【００２５】
可動部４３は、断面矩形の箱状に形成されている。可動部４３は、引出９側のガイドレール１３外側に隙間を有して配置されている。可動部４３の背面側には、ボルト６１によってベース５９が締結固定されている。ベース５９は、支持プレート４７の支持レール５７にスライド自在に係合している。この可動部４３と支持部４１の端プレート５３との間には、コイルばね４５が設けられている。
【００２６】
コイルばね４５は、その両端が可動部４３及び端プレート５３にボルト６３，６５を介して嵌合固定されている。このコイルばね４５は、端プレート５３に対して可動部４３を下方側に付勢している。
【００２７】
前記ガイドローラ１５は、例えばステンレス等の金属からなっている。ガイドローラ１５は、ガイドレール１３上に配置されて回転軸６７周りに回転自在に支持されている。ガイドローラ１５の回転軸６７は、支持ユニット３９の可動部４３に固定されている。このため、ガイドローラ１５は、可動部４３と共に上下動し、ガイドレール１３に対して進退移動する。
【００２８】
このガイドローラ１５は、可動部４３を介してコイルばね４５の付勢力によってガイドレール１３側である下方側に進出付勢されている。従って、ガイドローラ１５は、ガイドレール１３上に弾接している。
【００２９】
前記ダンパー１７，１９は、ピストンロッド６９，７１の収縮移動によってダンパー抗力を発生させる。このダンパー１７，１９は、内部のリターンスプリングによりピストンロッド６９，７１が伸張方向へ付勢されている。
【００３０】
一方のダンパー１７は、ステー７３を介して下段収納部５側のスライドレール１０上に固定されている。ステー７３は、そのベースプレート７５がスライドレール１０上にボルト７７により締結固定されている。
【００３１】
ベースプレート７５には、縦プレート７９が立設され、縦プレート７９には、ダンパー１７がクランプ８１及びボルト８３によって締結固定されている。この縦プレート７９には、突当プレート８５が一体に設けられ、突当プレート８５には、ダンパー１７の後端が突き当て支持されている。
【００３２】
このダンパー１７は、引出９の後方に配置されている。ダンパー１７のピストンロッド６９は、引出９の側面２１後端側に固定された押圧ブロック８７に前後方向で対向している。これにより、ピストンロッド６９は、引出９の引き込み動作時に押圧ブロック８７に押圧されて収縮移動するようになっている。
【００３３】
他方のダンパー１９は、一体のフランジ部９１及びねじ９３を介して引出９の側面２１後端側に固定されている。ダンパー１９のピストンロッド７１は、下段収納部５の内側面前端側に固定された押圧ブロック８９に前後方向で対向している。これにより、ピストンロッド７１は、引出９の引き出し動作時に押圧ブロック８９に押圧されて収縮移動するようになっている。
［アシスト機構の動作］
図７（ａ）〜（ｅ）は、アシスト機構の動作を示す側面図である。
【００３４】
アシスト機構１１は、下段収納部５に対する引出９の引き出し及び引き込み動作をアシストする。以下、引出９の収納位置からの引き出し動作を行う場合について説明する。
【００３５】
図７（ａ）のように、収納位置では、引出９が下段収納部５内に全体として引き込み収納されている。この状態で、下段収納部５側のガイドローラ１５は、引出９側のガイドレール１３前端側のアシスト面３５に弾接している。
【００３６】
すなわち、ガイドローラ１５は、コイルばね４５の付勢力により、前端部に向けて下方へ傾斜したアシスト面３５を押圧している。このため、ガイドローラ１５は、付勢力の分力による引き込み方向（後方側）への移動力（アシスト力）を発生させている。このアシスト力により、引出９は、下段収納部５に対する収納位置に確実に保持されている。
【００３７】
また、収納位置では、ダンパー１７のピストンロッド６９が、引出９側の押圧ブロック８７によって収縮位置に押し込まれている。
【００３８】
かかる収納位置から引出９を引き出し操作すると、引出９と共にガイドレール１３が引き出し方向（前方側）へ移動する。これによりガイドローラ１５は、図７（ｂ）のように、転動しながらガイドレール１３のアシスト面３５に倣って漸次上方へ退避移動する。
【００３９】
このとき、ガイドローラ１５は、コイルばね４５の付勢力に抗して退避移動するため、上記収納位置同様の引き込み方向へのアシスト力を発生させる。従って、引出９は、引き込み方向へのアシスト力に抗して引き出し動作する。
【００４０】
なお、かかる移動時には、ダンパー１７のピストンロッド６９が、リターンスプリングの付勢によって引出９側の押圧ブロック８７に追従して伸張動作する。
【００４１】
こうしてガイドローラ１５は、ガイドレール１３前端側のアシスト面３５から中間部の非アシスト面２９側に移行する。
【００４２】
非アシスト面２９上では、図７（ｃ）のように、ガイドローラ１５が転動しながら後端側アシスト面３７側へ移行する。このとき、非アシスト面２９が前後方向に沿っているため、引き込み及び引き出しの何れの方向にもアシスト力が発生しない。従って、引き出し動作の中間段階では、その操作を円滑に行わせることができる。
【００４３】
ガイドレール１３のアシスト面３７上では、図７（ｄ）のように、ガイドローラ１５が転動しながらガイドレール１３のアシスト面３７に倣って漸次下方へ進出移動する。
【００４４】
このとき、ガイドローラ１５は、コイルばね４５の付勢力によって、後端部に向けて下方へ傾斜したアシスト面３７を押圧する。従って、ガイドローラ１５は、付勢力の分力による引き出し方向への移動力（アシスト力）を発生させることができる。このアシスト力により、引出９は、図７（ｅ）のように、下段収納部５から全体として引き出された突出位置へ自動的に引き出される。
【００４５】
このようにアシスト機構１１は、引出９の自動的な引き出しによって引き出し動作をアシストすることができる。
【００４６】
かかる自動的な引き出し時には、突出位置直前で引出９側のダンパー１９による緩衝が行われる。すなわち、ダンパー１９は、引出９の引き出し動作に応じて、ピストンロッド７１が下段収納部５側の押圧ブロック８９に当接すると共に相対的に押圧される。
【００４７】
このため、ダンパー１９は、ピストンロッド７１が収縮移動してダンパー抗力を発生させることができる。従って、アシスト機構１１では、衝撃を緩衝しながら引出９の自動的な引き出しアシスト動作を円滑に行わせることができる。
【００４８】
なお、突出位置からの引き込み動作は、上記引き出し動作と逆の手順で同様に行わせることができる。
［実施例１の効果］
本実施例のアシスト機構１１は、下段収納部５及び引出９の一方側に引出９の動作方向に沿って設けられたガイドレール１３と、下段収納部５及び引出部材９の他方側に支持され引出９の動作に応じて前記ガイドレール１３に倣って進退移動するガイドローラ１５と、ガイドローラ１５をガイドレール１３側に進出付勢するコイルばね４５とを備え、ガイドレール１３が、少なくとも引出９の動作方向の一側に設けられ端部側に向けて傾斜したアシスト面３５，３７を有している。
【００４９】
従って、アシスト機構１１は、ガイドローラ１５がガイドレール１３に沿って進退移動することで、ガイドレール１３のアシスト面３５，３７上でコイルばね４５の付勢力の分力による引き込み及び引き出し方向の少なくとも一方側へのアシスト力を発生させることができる。
【００５０】
このため、アシスト機構１１では、引出９を下段収納部５に対する自動的な引き込み及び引き出し動作の少なくとも一方を行わせることができ、引出９の動作をアシストすることができる。
【００５１】
しかも、アシスト機構１１では、コイルばね４５の付勢力によってアシスト力を発生させるため、引出９の重量増加に伴うアシスト力の変動を抑制できる。この結果、アシスト力の変動によって反アシスト方向への操作が困難になることを抑制できる。
【００５２】
本実施例のアシスト機構１１では、引出９の動作方向の両側にアシスト面３５，３７が設けられているため、引き込み及び引き出し動作の双方に対してアシスト動作を行うことができる。
【００５３】
前記アシスト面３５，３７は、傾きが一定の斜面からなるため、容易且つ確実に付勢力の分力によるアシスト力を発生させることができる。
【００５４】
また、本実施例では、被ガイド部としてのガイドローラ１５がガイドレール１３上を転動するため、ガイドローラ１５をガイドレール１３に倣って円滑に進退移動させることができ、アシスト力を円滑に発生させることができる。
【００５５】
また、アシスト機構１１では、下段収納部５及び引出９の他方側に取り付けられた支持部４１と、支持部４１に引出９の動作方向に対する交差方向に移動自在に支持された可動部４３とを備え、ガイドローラ１５が、可動部４３に取り付けられ、コイルばね４５が、可動部４３を付勢する。
【００５６】
従って、本実施例では、支持部４１、可動部４３、ガイドローラ１５及びコイルばね４５をユニット化することができ、構成を簡素化することができる。
【００５７】
また、本実施例のアシスト機構１１では、引出９のアシスト動作を緩衝するダンパー１７，１９を備えたため、衝撃を緩衝しながらアシスト動作を円滑に行わせることができる。
【００５８】
しかも、本実施例では、ダンパー１７，１９を引出９のストッパとして用いることができ、緩衝機能を備えながら構成を簡素化することができる。
【実施例２】
【００５９】
図８（ａ）〜（ｅ）は、本発明の実施例２に係るアシスト機構の動作を示す側面図である。なお、本実施例は、上記実施例１と基本構造が共通しているため、対応する部分に同符号或いは同符号にＡを付して重複した説明を省略する。
【００６０】
本実施例のアシスト機構１１Ａは、上記実施例１の一対のダンパー１７，１９に代えて、単一のダンパー９５を設けたものである。
【００６１】
ダンパー９５は、両側のピストンロッド６９Ａ，７１Ａが図示しないピストンを介して連動構成されており、ピストンロッド６９Ａ，７１Ａの一方が収縮すると他方が伸張する。なお、ピストンロッド６９Ａ及び７１Ａは、内部のリターンスプリングにより伸張方向へ付勢されており、フリー状態で中立位置に保持される。このダンパー９５は、ピストンロッド６９Ａ，７１Ａの収縮移動によって双方向でのダンパー抗力を発生させるようになっている。
【００６２】
かかるダンパー９５は、引出９の側面２１後端側に対してクランプ８１によって固定されている。一方のピストンロッド６９Ａは、引出９後方でスライドレール１０上に固定された押圧ブロック８７Ａに前後方向で対向している。他方のピストンロッド７１Ａは、下段収納部５の前端側に固定された押圧ブロック８９Ａに前後方向で対向している。
【００６３】
従って、本実施例のアシスト機構１１Ａにおいても、上記実施例１と同様の作用効果を奏することができる。
【００６４】
加えて、アシスト機構１１Ａでは、自動的な引き込み及び引き出しによる何れのアシスト動作時にも、単一のダンパー９５によってダンパー抗力を発生させることができ、構成を簡素化することができる。
【実施例３】
【００６５】
図９は、本発明の実施例３に係るアシスト機構のガイドレールを示す側面図である。なお、本実施例は、上記実施例１及び２と基本構造が共通しているため、対応する部分に同符号或いは同符号にＢを付して重複した説明を省略する。
【００６６】
本実施例では、図９のように、上記実施例１のガイドレール１３に代えて、前後方向中間部に凹部９９を備えたガイドレール１３Ｂが用いられている。
【００６７】
すなわち、ガイドレール１３Ｂは、本体部２３Ｂの中間部に湾曲形成された凹部９９を備えている。この凹部９９は、その曲率がガイドローラ１５の曲率とほぼ同一となっており、ガイドローラ１５の下部側を嵌合させるようになっている。
【００６８】
従って、本実施例では、上記実施例１と同様の作用効果を奏することができるのに加え、ガイドローラ１５がガイドレール１３Ｂの凹部９９に嵌合することで、引出９を収納位置及び突出位置の中間位置で保持することができる。
【実施例４】
【００６９】
図１０は、本発明の実施例４に係るアシスト機構のガイドレールを示す側面図である。なお、本実施例は、上記実施例１及び２と基本構造が共通しているため、対応する部分に同符号或いは同符号にＣを付して重複した説明を省略する。
【００７０】
本実施例では、図１０のように、上記実施例１のガイドレール１３に代えて、アシスト面３５Ｃ，３７Ｃの中間部にステップ面１０１を有するガイドレール１３Ｃが用いられている。
【００７１】
すなわち、ガイドレール１３Ｃは、傾斜部２５Ｃ，２７Ｃの中間部に、前後方向に沿ったステップ部１０３を備えている。このステップ部１０３の上面に、ステップ面１０１が形成されている。
【００７２】
従って、本実施例においても、上記実施例１と同様の作用効果を奏することができる。加えて、本実施例では、アシスト面３５Ｃ，３７Ｃの中間部にアシスト力が発生しないステップ面１０１が存在するため、反アシスト方向への操作時にステップ面１０１において引出９を加速等させることができる。従って、より容易に反アシスト方向への操作を行わせることができる。
【００７３】
また、アシスト動作時には、ステップ面１０１においてアシスト力を発生しないため、引出９を惰性で動作させることができる。結果として、本実施例では、ダンパー１７，１９，９５の負荷を軽減することができる。
【実施例５】
【００７４】
図１１は、本発明の実施例５に係るアシスト機構のガイドレールを示す側面図である。なお、本実施例は、上記実施例１及び２と基本構造が共通しているため、対応する部分に同符号或いは同符号にＤを付して重複した説明を省略する。
【００７５】
本実施例では、図１１のように、上記実施例１のガイドレール１３に代えて、前後方向の両端部に返し部１０５を備えたガイドレール１３Ｄが用いられている。
【００７６】
すなわち、ガイドレール１３Ｄは、傾斜部２５Ｄ，２７Ｄの先端部に返し部１０５が湾曲形成されている。この返し部１０５は、先端が上方に向けて延設され、傾斜部２５Ｄ，２７Ｄとは逆向きに傾斜している。この返し部１０５に倣ってガイドローラ１５が移動することで、反アシスト力が発生するようになっている。
【００７７】
従って、本実施例では、上記実施例１と同様の作用効果を奏することができるのに加え、アシスト動作終了時に返し部１０５による反アシスト力を作用させてダンパー効果を発揮することができる。この結果、ダンパー１７，１９，９５の負荷を軽減することができる。
【実施例６】
【００７８】
図１２は、本発明の実施例６に係るアシスト機構のガイドレールを示す側面図である。なお、本実施例は、上記実施例１及び２と基本構造が共通しているため、対応する部分に同符号或いは同符号にＥを付して重複した説明を省略する。
【００７９】
本実施例では、図１２のように、上記実施例１のガイドレール１３に代えて、アシスト面３５Ｅ，３７Ｅの前後方向位置を変更したガイドレール１３Ｅが用いられている。
【００８０】
すなわち、ガイドレール１３Ｅは、前後端部に対する中間部寄りに傾斜部２５Ｅ，２７Ｅが設けられている。この傾斜部２５Ｅ，２７Ｅの表面に、アシスト面３５Ｅ，３７Ｅが形成されている。
【００８１】
傾斜部２５Ｅ，２７Ｅに対する前後端部側には、前後方向に沿ったボトム部１０７が形成されている。ボトム部１０７の表面には、ボトム面１０９が形成されている。
【００８２】
従って、本実施例においても、上記実施例１と同様の作用効果を奏することができる。
【００８３】
加えて、本実施例では、アシスト面３５Ｅ，３７Ｅに対する前後端部側にアシスト力が発生しないボトム面１０９が存在するため、反アシスト方向への操作時にボトム面１０９において引出９を加速等させることができる。従って、より容易に反アシスト方向への操作を行わせることができる。
【００８４】
また、本実施例では、ボトム面１０９においてアシスト力を発生しないため、アシスト動作終了直前に引出９を惰性で動作させることができる。結果として、本実施例では、ダンパー１７，１９，９５の負荷を軽減することができる。
【実施例７】
【００８５】
図１３は、本発明の実施例７に係るアシスト機構のガイドレールを示す側面図である。なお、本実施例は、上記実施例１及び２と基本構造が共通しているため、対応する部分に同符号或いは同符号にＦを付して重複した説明を省略する。
【００８６】
本実施例では、図１３のように、上記実施例１のガイドレール１３に代えて、複数の斜面からなるアシスト面３５Ｆ，３７Ｆを備えたガイドレール１３Ｆが用いられている。
【００８７】
すなわち、ガイドレール１３Ｆは、傾斜部２５Ｆ，２７Ｆが前後方向中間部で折り曲げられて、本体部２３Ｆ側の第１傾斜部１１１及び端部側の第２傾斜部１１３を備えている。第１傾斜部１１１は、第２傾斜部１１３よりも傾斜角が小さくなっている。
【００８８】
アシスト面３５Ｆ，３７Ｆは、傾斜部２５Ｆ，２７Ｆの第１傾斜部１１１及び第２傾斜部１１３の表面に形成された斜面１１５，１１７からなっている。すなわち、アシスト面３５Ｆ，３７Ｆは、傾きの異なる２つの斜面１１５，１１７からなっている。なお、アシスト面は、３つ以上の傾きの異なる斜面によって構成してもよい。
【００８９】
なお、本実施例のガイドレール１３Ｆでは、本体部２３Ｆの下面側に一体のリブ１１９が設けられ、剛性の向上が図られている。
【００９０】
本実施例においても、上記実施例１と同様の作用効果を奏することができる。
【００９１】
加えて、本実施例では、アシスト力を段階的に変化させることで、アシスト力の発生をダンパー１７，１９，９５のダンパー特性に合わせることができる。この結果、本実施例では、より円滑に引出９のアシスト動作を行うことができる。
【実施例８】
【００９２】
図１４は、本発明の実施例８に係るアシスト機構を示す側面図である。なお、本実施例は、上記実施例１と基本構造が共通しているため、対応する部分に同符号或いは同符号にＧを付して重複した説明を省略する。
【００９３】
本実施例では、図１４のように、上記実施例１の単一のガイドレール１３に代えて、一対の引き出し及び引き込み用のガイドレール１３Ｇ，１４Ｇが用いられている。
【００９４】
ガイドレール１３Ｇ，１４Ｇは、引出９の前後方向両側に対称に配置され、両者間に隙間１２１が形成されている。この隙間１２１側の傾斜部２５Ｆは、傾斜部２７Ｆよりも緩やかに傾斜設定され、反アシスト力の低減が行われている。
【００９５】
傾斜部２５Ｆの先端は、フリー状態のガイドローラ１５の回転軸心よりも下方に配置されている。これにより、傾斜部２５Ｆは、隙間１２１でフリー状態となったガイドローラ１５を乗り上げ可能としている。
【００９６】
かかる本実施例においても、上記実施例１と同様の作用効果を奏することができる。
【００９７】
加えて、本実施例では、ガイドレール１３Ｇ，１４Ｇが分割構成されて引出９の前後方向両側に配置されているため、引出９の前後方向の長さ変更に対して容易に対応することができる。
【００９８】
また、ガイドレール１３Ｇ，１４Ｇ間では、隙間１２１内でガイドローラ１５をフリー状態とすることができ、引き出し及び引き込み動作を容易に行わせることができる。
【実施例９】
【００９９】
図１５は、本発明の実施例９に係るアシスト機構に用いられる支持ユニットを示す正面図である。なお、本実施例は、上記実施例１と基本構造が共通しているため、対応する部分に同符号或いは同符号にＨを付して重複した説明を省略する。
【０１００】
本実施例では、上記実施例１の支持ユニット３９に代えて、ダンパー１２３を備えた支持ユニット３９Ｈが用いられている。
【０１０１】
支持ユニット３９Ｈは、可動部４３Ｈ内にダンパー１２３が収容支持されている。ダンパー１２３のピストンロッド１２５は、可動部４３Ｈの下面から突出し、上下方向に伸縮動作するようになっている。このピストンロッド１２５の先端部１２７は、下段収納部５のスライドレール１０上面に対向配置されている。
【０１０２】
このような支持ユニット３９Ｈでは、引出９の引き出し及び引き込み動作に応じて、ピストンロッド１２５の先端部１２７が下段収納部５のスライドレール１０上面に当接すると共に押圧される。
【０１０３】
このため、アシスト機構１１Ｈでは、支持ユニット３９Ｈの可動部４３Ｈ内のダンパー１２３によって衝撃を緩衝しながら引出９の自動的な引き出しアシスト動作を円滑に行わせることができる。
【０１０４】
かかる本実施例においても、上記実施例１と同様の作用効果を奏することができる。
【０１０５】
加えて、本実施例では、支持ユニット３９Ｈの可動部４３Ｈ内のダンパー１２３によって、引き出し及び引き込み動作時の衝撃を緩衝することができる。
【０１０６】
このため、本実施例では、ガイドローラ１５側にダンパー１２３を含めてユニット化することができ、上記実施例のダンパーや押圧ブロック等を省略して構造の簡素化、部品点数の削減、組付作業性の向上等を図ることができる。
［その他］
以上、本発明の実施例について説明したが、本発明はこれに限定されるものではなく、各種の設計変更が可能である。
【０１０７】
例えば、上記実施例では、アシスト機構１１〜１１Ｈをガイドレール１３〜１３Ｈの上方からガイドローラ１５を弾接させるように設置していたが、全体して上下逆向きに設置してガイドローラ１５をガイドレール１３〜１３Ｈの下方側から弾接するように構成することもできる。同様に、アシスト機構１１〜１１Ｈを水平方向に寝かせて設置することも可能である。この場合は、ガイドレール１３〜１３Ｈを引出９の下面側に取り付ければよい。
【０１０８】
また、上記実施例では、ガイドレール１３〜１３Ｈを引出９側に設けると共にガイドローラ１５を下段収納部５側に設けていたが、これとは逆にガイドレール１３〜１３Ｈを下段収納部５側に設けると共にガイドローラ１５を引出９側に設けてもよい。
【０１０９】
また、上記実施例では、ガイド部としてガイドレール１３〜１３Ｈを用いていたが、例えば、ブロック状のガイド部を用いることも可能である。
【０１１０】
上記実施例では、アシスト面３５〜３５Ｈ，３７〜３７Ｈを斜面によって構成していたが、例えば傾きの異なる微小な複数の斜面からなる曲面によって構成してもよい。
【０１１１】
上記実施例３〜９のガイドレールの構成は、適宜組み合わせて用いることができる。
【０１１２】
また、本発明のアシスト機構は、例えば引出部材としての収納家具や建具の引き戸にも適用することができる。
【符号の説明】
【０１１３】
５  下段収納部
９  引出（引出部材）
１１  アシスト機構
１３  ガイドレール（ガイド部）
１５  ガイドローラ（被ガイド部）
１７，１９，９５  ダンパー
３５，３７  アシスト面
４１  支持部
４３  可動部
４５  コイルばね（付勢部材）
９９  凹部
１０１  ステップ面
１０９  ボトム面
【図１】
2011254997.tif 000003
【図３】
2011254997.tif 000004
【図４】
2011254997.tif 000005
【図５】
2011254997.tif 000006
【図７】
2011254997.tif 000007
【図８】
2011254997.tif 000008
【図１４】
2011254997.tif 000009
【図１５】
2011254997.tif 000010
【図２】
2011254997.tif 000011
【図６】
2011254997.tif 000012
【図９】
2011254997.tif 000013
【図１０】
2011254997.tif 000014
【図１１】
2011254997.tif 000015
【図１２】
2011254997.tif 000016
【図１３】
2011254997.tif 000017